(57)【要約】【課題】保持盤へのキャップの組み付け・取り外しがワンタッチ操作で簡単に行なえ、しかも、構造が簡単であることから製作コストも低廉にでき、更には、キャップを組み付けた保持盤の外側に所望の文字又は図柄を印刷してデザイン性や商品価値を高めると共に広告媒体としても利用できるようにしたペットボトルのキャップ用保持盤を提供する。【解決手段】磁性を有する基板１ａの一側面１ｂにペットボトルのキャップＫがその開口側から嵌入する円形凹部２を成形し、前記円形凹部２の内周側面に前記キャップＫの外周縁ｋが係脱自在に係止し得る係止部５ａ，５ｂを突設した構成からなる。【選択図】  図３
0003104123.tif 000002
【実用新案登録請求の範囲】
【請求項１】
磁性を有する基板の一側面にペットボトルのキャップがその開口側から嵌入する円形凹部を成形し、前記円形凹部の内周側面に前記キャップの外周縁が係脱自在に係止し得る係止部を突設したことを特徴とするペットボトルのキャップ用保持盤。
【請求項２】
磁性を有する基板の一側面にペットボトルのキャップがその開口側から嵌入する円形凹部を成形し、前記円形凹部の内周側面に前記キャップの外周縁が係脱自在に係止し得る係止部を突設し、前記円形凹部が成形された前記基板の一側面を平坦面に成形すると共に該平坦面に所望の文字又は図柄を印刷したことを特徴とするペットボトルのキャップ用保持盤。
【考案の詳細な説明】
【技術分野】
【０００１】
本考案は、飲み終えた空のペットボトルのキャップをリサイクルするようにしたものであり、該キャップを例えば磁石で吸着するメモクリップに利用できるようにしたペットボトルのキャップ用保持盤に関するものである。
【背景技術】
【０００２】
一般に、茶、ジュース、炭酸飲料等の飲料は、ほとんどペットボトルに詰められて販売されている。そこで、飲料を飲んだ後の空のペットボトルは不要となるので本来廃棄されるところ、環境保護や資源再利用の観点から、ペットボトル本体は回収してリサイクル処理されるようになっている。ところが、前記キャップはその材質からリサイクル処理されずにゴミとして廃棄されている。
【０００３】
この点に鑑み、前記キャップもリサイクルしようとする試みから、該キャップを磁石が使用される吸着具に利用したものがある。この吸着具はキャップにマグネットアダプターを螺入した構成からなる。更に詳しく説明すると、前記マグネットアダプターの外周面にペットボトル用の螺子が刻設され、その下部には滑止加工が施されると共にマグネットが埋め込まれている。そして、キャップ内へその開口から前記螺子部を螺子込んで、キャップにマグネットアダプターを組み付け一体化するようにしている（例えば、特許文献１参照。）。
【特許文献１】実用新案登録第３０７２７２７号公報（第３頁、図２）
【考案の開示】
【考案が解決しようとする課題】
【０００４】
しかしながら、前記特許文献１の吸着具にあっては、マグネットアダプターをキャップ内に逐一螺子締めして入れ込まねばならないので、そのキャップの組み付け・取り外しが極めて面倒となる。しかも、全体の外観がほとんどキャップそのものであって見慣れた形状であり、デザイン性に劣るばかりか商品価値も低いという課題が有る。また、成形上、マグネットアダプターである合成樹脂製の本体の外周面に螺子を刻設することは、成形型が複雑となってその成形金型代が高くなり、引いてはマグネットアダプターの製作コストも高くなるという課題が有る。
【０００５】
そこで、本考案は上記課題を解決すべくなされたもので、保持盤へのキャップの組み付け・取り外しがワンタッチ操作で簡単に行なえ、しかも、構造が簡単であることから製作コストも低廉にでき、更には、キャップを組み付けた保持盤の外側に所望の文字又は図柄を印刷してデザイン性や商品価値を高めると共に広告媒体としても利用できるようにしたペットボトルのキャップ用保持盤を提供することを目的とするものである。
【課題を解決するための手段】
【０００６】
かかる目的を達成するため、本考案に係るペットボトルのキャップ用保持盤は、磁性を有する基板の一側面にペットボトルのキャップがその開口側から嵌入する円形凹部を成形し、前記円形凹部の内周側面に前記キャップの外周縁が係脱自在に係止し得る係止部を突設した構成からなる。
【０００７】
例えば、本考案に係るペットボトルのキャップ用保持盤は、磁性を有する基板の一側面にペットボトルのキャップがその開口側から嵌入する円形凹部を成形し、前記円形凹部の内周側面に前記キャップの外周縁が係脱自在に係止し得る係止部を突設し、前記円形凹部が成形された前記基板の一側面を平坦面に成形すると共に該平坦面に所望の文字又は図柄を印刷した構成が採られる。
【考案の効果】
【０００８】
本考案に係るペットボトルのキャップ用保持盤は、キャップをその開口側から円形凹部にワンタッチ式に嵌入するのみで保持盤に組み付けられ、また、キャップの外周を内側へ窪ますのみでキャップが取り外せるので、キャップの組み付け・取り外しがワンタッチ操作で簡単に行なえる。しかも、構造が簡単であることから、製作コストも低廉になし得る。更に、キャップを組み付けた保持盤の外側に所望の文字又は図柄を印刷することにより、デザイン性や商品価値が高められ、更には、広告媒体としても利用できるという有益な効果が有る。
【考案を実施するための最良の形態】
【０００９】
以下、本考案に係るペットボトルのキャップ用保持盤の実施の形態を図面に基づき説明する。図１は保持盤の斜視図、図２は同平面図、図３は図２のＸ−Ｘ線断面図である。保持盤１は合成樹脂製の基板１ａからなり、平面円形状に成形されている。基板１ａの上面１ｂは平坦面に成形され、その上面１ｂに所定深さの円形凹部２が成形される。この円形凹部２はペットボトル（図示せず。）の合成樹脂製のキャップＫの外径と略同じ内径を有し、該キャップＫが嵌入できるようになっている。
【００１０】
前記円形凹部２の底面には同じ円形の取付孔３が貫設され、該取付孔３に磁石４が嵌着固定されている。また、前記円形凹部２の内周側面２ａに対向位置して二組の第一係止部５ａ，５ａと第二係止部５ｂ，５ｂとが設けられている。各第一係止部５ａと第二係止部５ｂはそれぞれ９０度位置を異ならせて配置され、内側へ爪状に突出している。各第一係止部５ａと各第二係止部５ｂとはその高さが異なる。すなわち、通常、キャップＫにはその開口側の周端外周縁に鍔ｋが周設されているが、この鍔ｋの高さが高いキャップと低いキャップの二種類有る。そこで、これらを保持盤１に組み付けたとき、キャップＫがガタガタして不安定にならないように、第一係止部５ａは低い鍔ｋ１に係止するもので、円形凹部２の底面から高さｔ１にある。また、第二係止部５ｂは高い鍔ｋ２に係止するもので、円形凹部２の底面から高さｔ２にある。
【００１１】
保持盤１の上面１ｂが平坦面に成形されるのは、その平坦面に所望の文字又は図柄を印刷するためである。例えば、商品面や企業名またはエコロジー等に関するキャッチフレーズといった言葉を印刷することができる。これにより、デザイン的に優れるばかりか商品価値も高められ、更に、広告媒体として利用でき、購買者にさまざまなＰＲができる。
【００１２】
本考案に係る保持盤１は上記構成からなり、図４に示すように飲み終って空になったペットボトルからキャップＫを外し、そのキャップＫを円形凹部２にその開口側から嵌入する。この場合、キャップＫはその鍔ｋが高さの低いものとする。これにより、図５（イ）に示すように鍔ｋ１が両第一係止部５ａ，５ａに係止してキャップＫ１がしっかりと組み付けられる。このように、キャップＫ１を円形凹部２にワンタッチ式に嵌入するのみでキャップＫ１が嵌合するので、そのキャップＫ１の組み付けが極めて簡単に行なえる。
【００１３】
仮に、図５（ロ）に示すようにキャップＫ２がその鍔ｋ２の高さの高いものの場合でも、円形凹部２に嵌入したキャップＫ２の鍔ｋ２が両第二係止部５ｂ，５ｂに係止してしっかりと嵌合する。このように、キャップＫ１，Ｋ２が組み付けられた保持盤１は、例えば磁石４により吸着される冷蔵庫の側面、掲示板またはホワイトボードといった面に取り付けられ、例えばメモクリップとして使用されたり、事務関係用具または遊び道具として使用することができる。
【００１４】
また、これらキャップＫ１，Ｋ２を取り外す場合は、キャップＫ１，Ｋ２がいずれも合成樹脂で成形され多少の弾力性があることから、キャップＫ１，Ｋ２の外周面であって第一または第二係止部５ａ，５ｂに対応する個所を内側へ窪ませる。これにより、鍔ｋ１，ｋ２と第一・第二係止部５ａ，５ｂとの係止が外れてキャップＫ１，Ｋ２が簡単に取り外せる。よって、キャップＫを他のものと交換する場合でもその交換が楽に行なえる。
【００１５】
図６は他の実施の形態に係る保持盤を示すものである。この保持盤１Ａは、平坦な上面１ｂに地球を模した図柄６を印刷すると共に該保持盤１Ａの外周縁の一部に自動車の模型７を一体に成形し、更に、キャップＫの上面には所望の色と共に文字８を印刷した円形のシール９を貼着している。これは、エコロジーに対する意識度のＰＲに関するものであって、これによりその意識度が高まることになる。
【００１６】
このように、本考案に係るペットボトルのキャップ用保持盤１，１Ａは、キャップＫをその開口側から円形凹部２にワンタッチ式に嵌入するのみでキャップＫが保持盤１に組み付けられる。また、キャップＫの外周を内側へ窪ますのみでキャップＫが取り外せる。よって、キャップＫの組み付け・取り外しが簡単に行なえる。しかも、保持盤１はその構造が簡単であることから製作コストも低廉になし得る。更に、保持盤１の上面１ｂに所望の文字又は図柄６を印刷することによりデザイン性や商品価値が高められ、該上面１ｂを広告媒体としても利用できる。
【００１７】
本考案にあっては、保持盤１，１Ａを平面円形状に成形したものを示したが、平面正方形、長方形といった多角形状または動物の顔を模したものなど所望の形状にしても良い。また、あらかじめ着磁された金属粉を合成樹脂材へ混ぜ合わせて保持盤１，１Ａを成形するようにすれば、取付孔３に磁石４を嵌着固定する必要も無く、製作がより簡単になる。更に、前記円形凹部２は、全体に凹窪み状に成形しても、環状に成形してもいずれでも良い。
【図面の簡単な説明】
【００１８】
【図１】本発明に係る保持盤の斜視図。
【図２】同平面図。
【図３】図２のＸ−Ｘ線断面図。
【図４】キャップを保持盤に嵌合する状態を示す説明図。
【図５】（イ）はキャップが第一係止部に係止した状態の保持盤の断面図、（ロ）はキャップが第二係止部に係止した状態の保持盤の断面図。
【図６】他の実施の形態に係る保持盤にキャップを嵌合する状態を示す説明図。
【符号の説明】
【００１９】
１，１Ａ      保持盤
１ａ          基板
１ｂ          上面
２            円形凹部
４            磁石
５ａ          係止部（第一係止部）
５ｂ          係止部（第二係止部）
Ｋ            キャップ
Ｋ１          キャップ
Ｋ２          キャップ
【図１】
0003104123.tif 000003
【図２】
0003104123.tif 000004
【図３】
0003104123.tif 000005
【図４】
0003104123.tif 000006
【図５】
0003104123.tif 000007
【図６】
0003104123.tif 000008